(57)【要約】【課題】漏電を検出可能な検出手段を遊技場内の所定位置に配置し、この漏電検出手段の検出値と予め設定した基準値とを比較して漏電予告信号で報知することにより、十分な漏電対策等を可能にした遊技場の漏電検出装置を提供する。【解決手段】主配電盤と島配電盤間及び島配電盤と各遊技機間の少なくとも一方に配設されて漏電を検出可能な検出手段と、該検出手段による検出値と予め設定した基準値とを比較して漏電予告信号を出力可能な制御手段及び該制御手段から出力される漏電予告信号を報知可能な報知手段を有する管理装置とを備えることを特徴とする。また、前記基準値が複数設定されたり、前記制御手段が前記ホールコンピュータで構成され前記報知手段が該ホールコンピュータに接続された報知装置で構成される。【選択図】  図２
2010252940.tif 000002
【特許請求の範囲】
【請求項１】
外部からの電源を遊技場内に供給する主配電盤と、該主配電盤に接続されて複数の島にそれぞれ配設された島配電盤と、前記各島に配設されて島配電盤から所定の電源が供給される遊技機及び島コンピュータと、該島コンピュータに接続された管理装置と、を備えた遊技場の漏電検出装置であって、
前記主配電盤と島配電盤間及び前記島配電盤と各遊技機間の少なくとも一方に配設されて漏電を検出可能な検出手段と、該検出手段による検出値と予め設定した基準値とを比較して漏電予告信号を出力可能な制御手段と、該制御手段から出力される前記漏電予告信号を報知可能な報知手段と、を備えることを特徴とする遊技場の漏電検出装置。
【請求項２】
前記基準値は、複数設定されていることを特徴とする請求項１に記載の遊技場の漏電検出装置。
【請求項３】
前記制御手段は、前記管理装置のホールコンピュータで構成され、前記報知手段が該ホールコンピュータに接続された報知装置で構成されていることを特徴とする請求項１または２に記載の遊技場の漏電検出装置。
【請求項４】
前記検出手段は、前記島配電盤のトランスと各遊技機との間に接続され、その出力信号が前記管理装置に送信されることを特徴とする請求項１ないし３のいずれかに記載の遊技場の漏電検出装置。
【請求項５】
前記検出手段は、前記基準値の設定機能を有することを特徴とする請求項４に記載の遊技場の漏電検出装置。
【請求項６】
前記制御手段と報知手段は、前記主配電盤もしくは島配電盤に配設されたブレーカに内蔵されていることを特徴とする請求項１または２に記載の遊技場の漏電検出装置。
【発明の詳細な説明】
【技術分野】
【０００１】
本発明は、パチンコ店等の遊技場において漏電を事前に検出して報知可能な遊技場の漏電検出装置に関する。
【背景技術】
【０００２】
一般的に、漏電を検出して電源を遮断する装置として漏電ブレーカが知られているが、島毎に多数のパチンコ遊技機が設置されたパチンコ店においては、このような漏電ブレーカが設置されていないのが実情である。その理由は、例えば大当たり遊技中に漏電によりパチンコ遊技機の電源が突然遮断されると、遊技者に大きな不快感を与えると共に、パチンコ店の信用を損なうことにもなりかねないことが考えられる。なお、パチンコ店の遊技機間の電気的トラブルを防止する装置としては、例えば特許文献１がある。
【先行技術文献】
【特許文献】
【０００３】
【特許文献１】特開平１０−７０８０３号公報
【発明の概要】
【発明が解決しようとする課題】
【０００４】
しかしながら、このように漏電ブレーカを例えば島配電盤に設置していないパチンコ店においては、漏電による火災等の防災上での対策が不十分であり、また、島内部の端子板の端子間や配線間に塵埃が堆積した場合等に、絶縁不良を起こして配線や端子板を焦がす場合がある等、パチンコ店内の漏電対策を十分に行うことが困難である。
【０００５】
本発明は、このような事情に鑑みてなされたもので、その目的は、漏電を検出可能な検出手段を遊技場内の所定位置に配置し、この検出手段の検出値と予め設定した基準値とを比較して漏電予告信号で報知することにより、十分な漏電対策等を可能にした遊技場の漏電検出装置を提供することにある。
【課題を解決するための手段】
【０００６】
かかる目的を達成すべく、本発明のうち請求項１に記載の発明は、外部からの電源を遊技場（１）内に供給する主配電盤（２）と、該主配電盤に接続されて複数の島（３）にそれぞれ配設された島配電盤（４）と、前記各島に配設されて島配電盤から所定の電源が供給される遊技機（５）と、該遊技機に接続された管理装置（８）と、を備えた遊技場の漏電検出装置であって、前記主配電盤（２）と島配電盤（４）間及び前記島配電盤（４）と各遊技機（５）間の少なくとも一方に配設されて漏電を検出可能な検出手段（２１）と、該検出手段（２１）による検出値（Ｉｉ）と予め設定した基準値（Ｉｓ）とを比較して漏電予告信号（Ｓ）を出力可能な制御手段（１２、３５）と、該制御手段から出力される前記漏電予告信号（Ｓ）を報知可能な報知手段（１３、３４ａ〜３４ｃ）と、を備えることを特徴とする。
【０００７】
また、請求項２に記載の発明は、前記基準値が複数設定されていることを特徴とし、また、請求項３に記載の発明は、前記制御手段が前記管理装置（８）のホールコンピュータ（１２）で構成され、前記報知手段が該ホールコンピュータに接続された報知装置（１３）で構成されていることを特徴とする。さらに、請求項４に記載の発明は、前記検出手段（２１）が前記島配電盤（４）のトランス（２７）と各遊技機（５）との間に接続され、その出力信号が前記管理装置（８）に送信されることを特徴とする。また、請求項５に記載の発明は、前記検出手段（２１）が、前記基準値の設定機能を有することを特徴とする。また、請求項６に記載の発明は、前記制御手段と報知手段が前記主配電盤（２）もしくは島配電盤（４）に配設されたブレーカ（２ａ、４ａ）に内蔵されていることを特徴とする。
【発明の効果】
【０００８】
本発明のうち請求項１に記載の発明によれば、主配電盤と島配電盤間や島配電盤と各遊技機間に配設された検出手段による検出値と、予め設定した基準値とが制御手段で比較されて漏電予告信号が出力されると共に、この漏電予告信号が報知手段で報知されるため、基準値を所定に設定することにより、遊技場内の漏電を遊技場の従業員等に事前に認識させることができて、漏電による遊技機の突然の電源遮断を確実に防止しつつ、防災上の対策を簡単かつ十分に行うことができる。
【０００９】
また、請求項２に記載の発明によれば、請求項１に記載の発明の効果に加え、漏電予告信号を出力するための基準値が複数設定されているため、漏電レベルに応じて段階的に報知することができて、漏電への対応を容易かつ的確に行うことができる。
【００１０】
また、請求項３に記載の発明によれば、請求項１または２に記載の発明の効果に加え、制御手段が管理室のホールコンピュータで構成され、報知手段がホールコンピュータに接続された報知装置で構成されているため、遊技場の管理室に設けた報知手段で漏電状態を管理者等に認識させることができると共に、遊技場全体の漏電検出を確実に行うことができる。
【００１１】
さらに、請求項４に記載の発明によれば、請求項１ないし３に記載の発明の効果に加え、検出手段が島配電盤のトランスと各遊技機との間に接続され、その出力信号が管理装置に送信されるため、検出手段を例えば既存のパチンコ店の島内部に付設できて、汎用性に優れた漏電検出装置を得ることができる。
【００１２】
また、請求項５に記載の発明によれば、請求項４に記載の発明の効果に加え、検出手段が基準値の設定機能を有するため、漏電検出レベルを例えばパチンコ店毎や島毎に簡単に設定できて、使い勝手に優れた漏電検出装置を得ることができる。
【００１３】
また、請求項６に記載の発明によれば、請求項１または２に記載の発明の効果に加え、制御手段と報知手段がブレーカに内蔵されているため、漏電検出装置の構成を簡略化できると共に、その設置や他分野の適用を容易に行うことができる等、安価な漏電検出装置を得ることができる。
【図面の簡単な説明】
【００１４】
【図１】本発明に係わる漏電検出装置の一実施形態の基本構成を示すブロック図
【図２】同その島と管理室の具体的な構成を示すブロック図
【図３】同遊技機の構成を示すブロック図
【図４】同漏電検出器の構成を示すブロック図
【図５】同その動作の一例を示すフローチャート
【図６】同他の動作を示すフローチャート
【図７】本発明に係わる漏電検出装置の他の実施形態を示すブロック図
【図８】本発明に係わる漏電検出装置のさらに他の実施形態を示す正面図
【図９】同その構成を示すブロック図
【発明を実施するための形態】
【００１５】
以下、本発明を実施するための最良の形態を図面に基づいて詳細に説明する。
図１〜図６は、本発明に係わる漏電検出装置をパチンコ店に適用した場合の一実施形態を示している。
【００１６】
図１に示すように、遊技場としてのパチンコ店１には、外部の電柱に設けたトランスからから商用ＡＣ１００Ｖ電源を店内の各部に供給するための、例えば店の入り口に設置された主幹ブレーカや分岐ブレーカ等の複数のブレーカ２ａを有する主配電盤２が配設されている。この主配電盤２には、店内の複数の島３毎に配設された島配電盤４が接続されている。前記各島３には、複数台のパチンコ遊技機５（以下、遊技機５という）が併設状態で配設されると共に、各遊技機５に接続された１台の島コンピュータ６が配設されている。この島コンピュータ６は、店の管理室７に設置された管理装置８に接続されている。
【００１７】
そして、前記島配電盤４は、図２に示すように、交流電源をオン・オフさせるブレーカ４ａと、ＡＣ１００Ｖを遊技機５で使用されるＡＣ２４Ｖ等に電圧変換する電源装置４ｂを有している。なお、電源装置４ｂとしては、例えば停電時でも遊技機５等に所定時間所定の電源（ＡＣ２４ＶやＤＣ１２Ｖ等）を供給可能な後述するトランス等を有する無停電電源装置が使用される。また、島３の各遊技機５には、その上方に、例えば遊技機５が大当たり状態時に点灯するランプ等を制御するためのランプ基板９がそれぞれ配設され、２台の遊技機５の各ランプ基板９に対してＩ／Ｏ基板１０が接続され、このＩ／Ｏ基板１０が、ＣＰＵ６ａ、ＲＯＭ６ｂ及びＲＡＭ６ｃを有する前記島コンピュータ６にそれぞれ接続されている。
【００１８】
なお、前記島配電盤４内の各種配線は、図示しない端子板を介して接続されており、また、島配電盤４の電源装置４ｂは、各遊技機５の後述する電源基板１４にＡＣ２４Ｖを供給すると共に、ランプ基板９やＩ／Ｏ基板１０、島コンピュータ６に例えばＤＣ１２Ｖの電源を供給するようになっている。
【００１９】
また、前記管理装置８は、ＣＰＵ１２ａとＲＯＭ１２ｂ及びＲＡＭ１２ｃを有するホールコンピュータ１２（制御手段）と、このホールコンピュータ１２に接続された報知装置１３（報知手段）を備えている。報知装置１３は、後述する漏電予告信号に基づいて点灯するランプや音声を再生するスピーカ等からなる報知器１３ａと、漏電予告信号を画面上に表示可能なディスプレイ等の表示器１３ｂにより構成されている。
【００２０】
前記遊技機５は、図３に示すように、遊技機５内部に設けられた電源基板１４を有し、この電源基板１４に、入賞口に遊技球が入賞することにより抽選を行い、遊技に係わる主たる制御を行うメイン制御基板１５と、遊技球の払出を制御する払出制御基板１６と、遊技盤に配設された液晶表示器等の表示を制御する演出制御基板１７及び各種ランプの点灯等を制御するランプ制御基板１８等が接続されている。なお、電源基板１４には、前記島配電盤４の電源装置４ｂが接続されている。
【００２１】
また、各遊技機５には、電源基板１４から電源が供給される外部情報基板１９が接続され、この外部情報基板１９は、メイン制御基板１５に接続されると共に前記各島３のランプ基板９に接続されている。そして、この外部情報基板１９を介して各遊技機５の遊技状態等の情報が、ランプ基板９、Ｉ／Ｏ基板１０及び島コンピュータ６を介してホールコンピュータ１２に送信されたり、ホールコンピュータ１２から所定の情報が島コンピュータ６、Ｉ／Ｏ基板１０を介してランプ基板９等に送信されるようになっている。
【００２２】
また、図１及び図２に示すように、ＡＣ電源が供給される前記主配電盤２と島配電盤４間及び島配電盤４の電源装置４ｂと各遊技機５間には、漏電検出器２１（検出手段）が配設されている。この漏電検出器２１は、図４に示すように、２本の交流配線２５ａ、２５ｂに巻回状態で配設された検出コイル２２と、この検出コイル２２に接続された増幅回路２３及びＡ／Ｄ変換回路２４等を有している。
【００２３】
そして、この漏電検出器２１は、検出コイル２２で検出された交流の漏電電流値が増幅回路２３で増幅され、Ａ／Ｄ変換回路２４でデジタル信号に変換されて後述するホールコンピュータ１２のＣＰＵ１２ａに出力されるようになっている。なお、漏電検出器２１から漏電電流値が入力されるホールコンピュータ１２は、ＲＡＭ１２ｃに予め基準値が設定されており、この基準値と入力される漏電電流値（後述する検出値）とがＣＰＵ１２ａで比較されるようになっている。
【００２４】
この漏電検出器２１と前記管理装置８によって、本願発明の漏電検出装置が構成されている。この漏電検出装置の動作を、図５のフローチャートに基づいて説明する。なお、図５のフローチャートは、ホールコンピュータ１２のＲＯＭ１２ｂに記憶されているプログラムにより自動的に実行される。図５に示すように、プログラムがスタート（Ｓ１００）すると、ＲＡＭ１２ｃに予め記憶してある２つの基準値である第１の基準値Ｉｓ１と第２の基準値Ｉｓ２（Ｉｓ１＜Ｉｓ２）をＣＰＵ２３ａに読み込み（Ｓ１０１）、その後、漏電検出器２１で検出された検出値Ｉｉを読み込む（Ｓ１０２）。
【００２５】
漏電検出器２１から検出値Ｉｉを読み込むと、検出値Ｉｉが第１の基準値Ｉｓ１を超えたか否かが判断（Ｓ１０４）され、この判断Ｓ１０４で「ＮＯ」の場合、すなわち交流配線２５ａ、２５ｂ間に漏電がなくその検出値Ｉｉが第１の基準値Ｉｓ１以下の場合は、ステップＳ１０３に戻り再び検出値Ｉｉを読み込む。一方、判断Ｓ１０４で「ＹＥＳ」の場合、すなわち前記端子板の端子間に塵埃が堆積して絶縁不良を起こす等して交流配線２５ａ、２５ｂ間に漏電電流が流れ、その検出値Ｉｉが第１の基準値Ｉｓ１を超えた場合は、検出値Ｉｉが第２の基準値Ｉｓ２以下か否かが判断（Ｓ１０５）される。
【００２６】
そして、この判断Ｓ１０５で「ＹＥＳ」の場合、すなわち検出値Ｉｉが第１の基準値Ｉｓ１を超えて第２の基準値Ｉｓ２以下の場合は、漏電予告信号Ｓ１を報知装置１３に出力（Ｓ１０６）してエンド（Ｓ１０８）となる。また、判断Ｓ１０５で「ＮＯ」の場合、すなわち検出値Ｉｉが第２の基準値Ｉｓ２を超えた場合は、漏電予告信号Ｓ２を報知装置１３に出力（Ｓ１０７）してエンド（Ｓ１０８）となる。
【００２７】
前記ステップＳ１０６もしくはステップＳ１０７で、漏電予告信号Ｓ１もしくは漏電予告信号Ｓ２が報知装置１３に出力されると、報知器１３ａで報知すると共に表示器１３ｂに表示して、管理室７の管理人に漏電を認識させる。このとき、報知装置１３による２つの漏電予告信号Ｓ１、Ｓ２は、異なる状態（例えば漏電予告信号Ｓ１の場合は報知器１３ａとしてのランプを点灯させ、漏電予告信号Ｓ２の場合はランプを点滅させる等）で報知するようになっている。つまり、このフローチャートによれば、ホールコンピュータ１２のＣＰＵ１２ａで、漏電検出器２１による検出値Ｉｉと２つの基準値Ｉｓ１、Ｉｓ２とを比較し、漏電が発生した場合に、漏電のレベルの高低に応じた報知が報知装置１３で行われることになる。
【００２８】
なお、図５の例では、基準値を２つ設けて各基準値Ｉｓ１、Ｉｓ２を１回でも超えた場合に、漏電予告信号Ｓ１、Ｓ２を出力したが、例えば図６に示すように、検出の回数をも判断するフローチャートとすることもできる。すなわち、プログラムがスタート（Ｓ２００）すると、ＲＡＭ１２ｃに予め記憶してある基準値Ｉｓと基準回数ｎｓをＣＰＵ２３ａに読み込み（Ｓ２０１）、その後、漏電検出器２１で検出された検出値Ｉｉを読み込む（Ｓ２０２）。
【００２９】
漏電検出器２１から検出値Ｉｉを読み込むと、検出値Ｉｉが基準値Ｉｓを超えたか否かが判断（Ｓ２０４）され、この判断Ｓ２０４で「ＮＯ」の場合、すなわち交流配線２５ａ、２５ｂ間に漏電がなくその検出値Ｉｉが基準値Ｉｓ以下の場合は、ステップＳ２０３に戻り再び検出値Ｉｉを読み込む。一方、判断Ｓ２０４で「ＹＥＳ」の場合、すなわち交流配線２５ａ、２５ｂ間に漏電電流が流れ、その検出値Ｉｉが基準値Ｉｓを超えた場合は、検出回数ｎｉが基準回数ｎｓを超えたか否かが判断（Ｓ２０５）される。
【００３０】
そして、この判断Ｓ２０５で「ＮＯ」の場合、すなわち検出値Ｉｉが基準値Ｉｓを超えた回数ｎｉが基準回数ｎｓを超えていない場合は、ステップＳ２０３に戻り、検出値Ｉｉを再び読み込む。一方、判断Ｓ２０５で「ＹＥＳ」の場合、すなわち検出値Ｉｉが基準値Ｉｓを基準回数ｎｓ超えた場合は、漏電予告信号Ｓを報知装置１３に出力（Ｓ２０６）してエンド（Ｓ２０７）となる。つまり、このフローチャートによれば、ホールコンピュータ１２のＣＰＵ１２ａで、漏電検出器２１による検出値Ｉｉと１つの基準値Ｉｓとを比較すると共に、漏電の検出回数ｎｉを基準回数ｎｓと比較して、基準値Ｉｓを超える漏電が基準回数ｎｓ発生した場合に、漏電が報知装置１３で報知されることになる。これにより、例えば瞬間的な漏電を検出して報知する等の誤動作が防止される。
【００３１】
なお、漏電検出装置のフローチャートは、以上説明した２つのフローチャートに限らず、例えば３つの以上の基準値と比較するフローチャートとすることもできる。また、図５と図６のフローチャートを組み合わせて、検出値Ｉｉが複数の基準値を予め設定した基準回数それぞれ超えた場合に所定の漏電予告信号を出力するフローチャートとすることもできる。この場合は、基準値に応じて基準回数を個別に設定（例えば基準値が高くなるに従い基準回数を少なく）することが好ましい。
【００３２】
このように、前記漏電検出装置によれば、主配電盤２と島配電盤４間及び島配電盤４と各遊技機５間に配設された漏電検出器２１による検出値と、ホールコンピュータ１２のＲＡＭ１２ｃに予め設定した基準値とがホールコンピュータ１２のＣＰＵ１２ａで比較されて、所定の漏電予告信号が出力されると共に、この漏電予告信号が報知装置１３の報知器１３ａや表示器１３ｂで報知されるため、基準値を所定に設定することにより、パチンコ店１内の漏電を管理者等の従業員に事前に認識させることができる。特に、漏電予告信号を出力するための基準値を２つ設定することにより、漏電レベルに応じて段階的に報知することができたり、基準回数を設定することにより、瞬間的な低レベルの漏電検出を抑制でき、漏電への対応を容易かつ確実に行うことができる。
【００３３】
また、漏電検出器２１で検出された検出値がホールコンピュータ１２で比較処理されて、ホールコンピュータ１２に接続された報知装置１３で報知されるため、パチンコ店１の管理室７に設けた報知装置１３で漏電状態を管理者等に確実に認識させることができると共に、パチンコ店１内の全体の確実な漏電検出が可能となる。これらのことから、遊技機５の漏電による突然の電源遮断を無くして、遊技者に大きな不快感を与えることや店の信用を損なうことを防止しつつ、パチンコ店１の防災上の対策を簡単かつ的確に行うことが可能となる。
【００３４】
図７は、本発明に係わる漏電検出装置の他の実施形態を示している。この実施形態の漏電検出装置の特徴は、前記漏電検出器２１を、前記島配電４に配設されたトランス２７と、島の各遊技機５との間に、コンセント２８ａ、２８ｂ（あるいはコネクター）により着脱可能に接続すると共に、漏電検出器２１自体が前記基準値Ｉｓ１、Ｉｓ２の設定機能を有するように構成した点にある。また、漏電検出器２１は、その出力信号が前記管理装置８のホールコンピュータ１２と報知装置１３に送信可能に接続されている。
【００３５】
この実施形態においても、漏電検出器２１により漏電を検出できて、上記実施形態と同様の作用効果が得られる他に、漏電検出器２１を島３内部にコンセント２８ａ、２８ｂを使用して着脱可能に接続できるため、例えば既存のパチンコ店の各島に簡単に付設することができて、汎用性の高い漏電検出装置を得ることができる。また、各漏電検出器２１自体で漏電検出レベルの基準値を遊技機５毎に設定できるため、例えばパチンコ店毎や島毎の電圧レベル等に応じて漏電検出レベルを適正値に設定できて、検出精度のより高い漏電検出装置を得ることが可能となる。
【００３６】
図８及び図９は、本発明に係わる漏電検出装置のさらに他の実施形態を示している。この実施形態の漏電検出装置の特徴は、前記漏電検出器２１を、例えば前記島配電盤４に配設されたブレーカ４ａ（もしくは主配電盤２のブレーカ２ａ）に内蔵した点にある。すなわち、ブレーカ４ａは、遮断スイッチ３１が設けられたケース３０を有し、このケース３０の上部には給電端子３２を設けられると共に下部には負荷端子３３が設けられている。
【００３７】
そして、このブレーカ４ａのケース３０内に、図８に示すように、漏電検出器２１と制御回路３５（制御手段）及びランプ３４ａ〜３４ｃ（報知手段）が内蔵されている。このうち漏電検出器２１は、図４と同様に検出コイル２２、増幅回路２３、Ａ／Ｄ変換回路２４を有し、制御回路３５は、ＣＰＵ３５ａ、ＲＯＭ３５ｂ及びＲＡＭ３５ｃを有している。また、ケース３０の前面には、例えば３色のＬＥＤからなるランプ３４ａ〜３４ｃが配設されている。
【００３８】
この漏電検出装置によれば、漏電検出器２１の検出コイル２２をブレーカ４ａ内の交流配線２５ａ、２５ｂに巻回状態で配設すると共に、制御回路３５に３つのランプ３４ａ〜３４ｃを接続する。これにより、交流配線２５ａ、２５ｂ間に漏電が発生すると、これが漏電検出器２１で検出され、その検出値が制御回路３５のＲＡＭ３５ｃに予め記憶されている３つの基準値と比較されて、検出値のレベルに応じ３つのランプ３４ａ〜３４ｃが所定の状態で点灯するようになっている。
【００３９】
この実施形態の漏電検出装置においては、漏電検出器２１と制御手段としての制御回路３５及び報知手段としての３つのランプ３４ａ〜３４ｃをブレーカ４ａに一体化できるため、例えばパチンコ店１内の島配電盤４や主配電盤２のブレーカとして使用することにより、パチンコ店１内の漏電を検出することができ、上記実施形態と同様の作用効果を得ることができる。また、ブレーカ４ａ等の交換で対応できるため、既存のパチンコ店１にも容易に設置することができて、汎用性の向上を図ることができると共に、装置自体をコンパクトに形成することができ、これらのことから、安価な漏電検出装置を提供することが可能となる。この実施形態の場合、ランプ３４ａ〜３４ｃの点灯信号を前記管理装置８に送信して、該管理装置で漏電状態を管理することも勿論可能である。
【００４０】
なお、前記実施形態においては、漏電検出器２１を主配電盤２と島配電盤４間及び島配電盤４と遊技機５間の交流配線２４ａ、２４ｂにそれぞれ配設したが、本発明はこれに限定されず、その一方でも良いし、パチンコ店１内の全ての各種配線に適用することもできる。また、前記実施形態における、島配電盤４や漏電検出器２１の構成、島３や遊技機５の構成等も一例であって、例えば島配電盤４の電源装置４ｂをブレーカ４ａと別体として配置する等、本発明に係る各発明の要旨を逸脱しない範囲において適宜の構成を採用することができる。
【産業上の利用可能性】
【００４１】
本発明は、島にパチンコ遊技機が設置されるパチンコ店に限らず、島にスロットマシンやその他の遊技機が設置された各種遊技場の漏電検出装置にも利用できる。
【符号の説明】
【００４２】
１・・・パチンコ店、２・・・主配電盤、２ａ・・・ブレーカ、３・・・島、４・・・島配電盤、４ａ・・・ブレーカ、４ｂ・・・電源装置、５・・・遊技機、６・・・島コンピュータ、７・・・管理室、８・・・管理装置、９・・・ランプ基板、１０・・・Ｉ／Ｏ基板、１２・・・ホールコンピュータ、１２ａ・・・ＣＰＵ、１２ｂ・・・ＲＯＭ、１２ｃ・・・ＲＡＭ、１３・・・報知装置、１３ａ・・・報知器、１３ｂ・・・表示器、１４・・・電源基板、１５・・・メイン制御基板、１９・・・外部情報基板、２１・・・漏電検出器、２２・・・検出コイル、２３・・・増幅回路、２４・・・Ａ／Ｄ変換回路、２５ａ、２５ｂ・・・交流配線、２７・・・トランス、２８ａ、２８ｂ・・・コンセント、３０・・・ケース、３１・・・遮断スイッチ、３２・・・給電端子、３３・・・負荷端子、３４ａ〜３４ｃ・・・ランプ、３５・・・制御回路、３５ａ・・・ＣＰＵ、３５ｂ・・・ＲＯＭ、３５ｃ・・・ＲＡＭ、Ｓ、Ｓ１、Ｓ２・・・漏電予告信号。
【図１】
2010252940.tif 000003
【図２】
2010252940.tif 000004
【図３】
2010252940.tif 000005
【図４】
2010252940.tif 000006
【図５】
2010252940.tif 000007
【図６】
2010252940.tif 000008
【図７】
2010252940.tif 000009
【図８】
2010252940.tif 000010
【図９】
2010252940.tif 000011